(57)【要約】      （修正有）【課題】画像出力装置に接続された複数の表示装置の現像処理を好適に制御することができる表示装置及び制御方法を提供する。【解決手段】表示装置２００において、受信部２０１は、画像出力装置１００から、表示装置２００宛ての第１のＲＡＷ画像データと、他の表示装置３００宛ての第２のＲＡＷ画像データとを受信する。ＲＡＷ現像処理部２０２は、表示装置２００宛ての第１のＲＡＷ画像データに現像処理を施す。送信部２０５は、他の表示装置から、表示装置の現像処理の処理性能に関する性能情報を取得する。表示制御部２０８は、複数の表示装置の現像処理の処理性能が異なる場合に、所定のメッセージを表示する制御を行う。【選択図】図２
2017038176.tif 000002
【特許請求の範囲】
【請求項１】
画像出力装置および他の表示装置に接続可能な表示装置であって、
前記画像出力装置から、前記表示装置宛ての第１のＲＡＷ画像データと、前記他の表示装置宛ての第２のＲＡＷ画像データとを受信する受信手段と、
少なくとも前記第１のＲＡＷ画像データに現像処理を施す処理手段と、
前記他の表示装置から、当該他の表示装置の現像処理の処理性能に関する性能情報を取得する取得手段と、
前記他の表示装置の現像処理の処理性能と、前記表示装置の現像処理の処理性能とが異なる場合に、所定のメッセージを表示する制御を行う表示制御手段と、を備える表示装置。
【請求項２】
前記表示制御手段は、前記表示装置の現像処理の処理性能の方が、前記他の表示装置の現像処理の処理性能よりも高い場合に、前記処理手段により前記第２のＲＡＷ画像データに対して現像処理を施すか否かを問い合わせるメッセージを表示する制御を行うことを特徴とする請求項１に記載の表示装置。
【請求項３】
前記問い合わせに対して、前記処理手段により前記第２のＲＡＷ画像データに対して現像処理を施すとの応答を受けた場合、前記処理手段は、前記第２のＲＡＷ画像データにも現像処理を施すことを特徴とする請求項２に記載の表示装置。
【請求項４】
さらに、前記処理手段により現像処理が施された前記第２のＲＡＷ画像データを、前記他の表示装置に送信する送信手段を備えることを特徴とする請求項３に記載の表示装置。
【請求項５】
前記処理手段は、前記表示装置の現像処理の処理性能の方が、前記他の表示装置の現像処理の処理性能よりも低い場合に、前記第２のＲＡＷ画像データに現像処理を施さないことを特徴とする請求項１から請求項３までのいずれか１項に記載の表示装置。
【請求項６】
前記処理手段は、前記表示装置の現像処理の処理性能と、前記他の表示装置の現像処理の処理性能とが同じである場合に、前記第２のＲＡＷ画像データに現像処理を施さないことを特徴とする請求項１から請求項３までのいずれか１項に記載の表示装置。
【請求項７】
前記表示制御手段は、前記表示装置の現像処理の処理性能の方が、前記他の表示装置の現像処理の処理性能よりも低い場合に、その旨を示すメッセージを表示する制御を行うことを特徴とする請求項１から請求項５までのいずれか１項に記載の表示装置。
【請求項８】
画像出力装置および他の表示装置に接続可能な表示装置であって、
前記画像出力装置から、前記表示装置宛ての第１のＲＡＷ画像データと、前記他の表示装置宛ての第２のＲＡＷ画像データとを受信する受信手段と、
少なくとも前記第１のＲＡＷ画像データに現像処理を施す処理手段と、
前記他の表示装置から、当該他の表示装置の現像処理の処理性能に関する性能情報を取得する取得手段と、を備え、
前記表示装置の現像処理の処理性能の方が、前記他の表示装置の現像処理の処理性能よりも高い場合に、前記処理手段は、前記第２のＲＡＷ画像データにも現像処理を施すことを特徴とする表示装置。
【請求項９】
さらに、前記処理手段により現像処理が施された前記第２のＲＡＷ画像データを、前記他の表示装置に送信する送信手段を備えることを特徴とする請求項８に記載の表示装置。
【請求項１０】
さらに、前記取得手段により取得された前記性能情報を用いて、前記他の表示装置の現像処理の処理性能と、前記表示装置の現像処理の処理性能とを比較し、どちらの処理性能の方が高いかを判断する判断手段を備えることを特徴とする請求項１から請求項９までのいずれか１項に記載の表示装置。
【請求項１１】
前記性能情報は、現像処理のアルゴリズムのバージョン情報であることを特徴とする請求項１から請求項１０までのいずれか１項に記載の表示装置。
【請求項１２】
前記画像出力装置と前記表示装置とが、ＤｉｓｐｌａｙＰｏｒｔ規格に準拠した１つのケーブルで接続され、
前記他の表示装置と前記表示装置とが、ＤｉｓｐｌａｙＰｏｒｔ規格に準拠した１つのケーブルで接続されることを特徴とする請求項１から請求項１１までのいずれか１項に記載の表示装置。
【請求項１３】
画像出力装置および他の表示装置に接続可能な表示装置の制御方法であって、
前記画像出力装置から、前記表示装置宛ての第１のＲＡＷ画像データと、前記他の表示装置宛ての第２のＲＡＷ画像データとを受信する受信ステップと、
前記他の表示装置から、当該他の表示装置の現像処理の処理性能に関する性能情報を取得する取得ステップと、
前記他の表示装置の現像処理の処理性能と、前記表示装置の現像処理の処理性能とが異なる場合に、所定のメッセージを表示する制御を行う表示制御ステップと、を有する表示装置の制御方法。
【請求項１４】
画像出力装置および他の表示装置に接続可能な表示装置の制御方法であって、
前記画像出力装置から、前記表示装置宛ての第１のＲＡＷ画像データと、前記他の表示装置宛ての第２のＲＡＷ画像データとを受信する受信ステップと、
前記他の表示装置から、当該他の表示装置の現像処理の処理性能に関する性能情報を取得する取得ステップと、前記表示装置の現像処理の処理性能の方が、前記他の表示装置の現像処理の処理性能よりも高い場合に、前記第１および第２のＲＡＷ画像データに現像処理を施す処理ステップと、を有することを特徴とする表示装置の制御方法。
【発明の詳細な説明】
【技術分野】
【０００１】
本発明は、画像出力装置と他の表示装置とに接続可能な表示装置、及びその制御方法に関する。
【背景技術】
【０００２】
パーソナルコンピュータなどの画像出力装置の出力端子と表示装置の入力端子とを接続し、さらに表示装置の出力装置と他の表示装置の入力端子とを接続するデイジーチェーン接続と呼ばれる接続方法がある。
【０００３】
画像出力装置と複数の表示装置をデイジーチェーン接続したシステム構成において、ＤｉｓｐｌａｙＰｏｒｔのマルチストリーム機能を用いると、画像出力装置から複数の画像データを複数の表示装置に転送することができる。画像出力装置は、各表示装置に異なるアドレスを割り当て、１つの出力端子から複数の表示装置に異なる画像を出力する。各表示装置が自装置に割り当てられたパケットを復号することで、複数の表示装置で異なる画像が表示される。
【０００４】
画像出力装置が、複数のＲＡＷ画像データを複数の表示装置にマルチストリームで送信する場合においても、各表示装置が自装置宛てのＲＡＷ画像データをＲＡＷ現像処理することで、複数の表示装置で異なる画像が表示される。
【０００５】
特許文献１には、多数のＲＡＷ画像データをより短い時間で現像処理するために、情報処理装置に接続された複数の端末装置の性能に関する性能データを取得して、各々の端末装置により実行される現像処理の配分を決定することが開示されている。
【０００６】
また、特許文献２には、映像出力装置から映像表示装置にコンテンツデータを転送する際に、映像出力装置の方が映像表示装置よりもＧＵＩ描画性能が高い場合は、映像出力装置でコンテンツデータを復号化してからストリーム転送することが開示されている。
【先行技術文献】
【特許文献】
【０００７】
【特許文献１】特開２００７−１４２５５１号公報
【特許文献２】特開２００９−１８８６８１号公報
【発明の概要】
【発明が解決しようとする課題】
【０００８】
しかしながら、上述した従来の技術では、画像出力装置と複数の表示装置をデイジーチェーン接続したシステム構成は想定されていない。画像出力装置と複数の表示装置をデイジーチェーン接続したシステム構成において、複数の表示装置の現像処理の処理性能が異なる場合は、各表示装置で表示される画像の画質が異なってしまう。このような場合に、ユーザは、なぜ各表示装置で表示される画像の画質が異なっているのかが分からないため、各表示装置で表示される画像の画質を合わせたくても、どのようにすれば良いか分からないという問題があった。
【０００９】
そこで、本発明は、画像出力装置に接続された複数の表示装置の現像処理を好適に制御することができる表示装置およびその制御方法を提供することを目的とする。
【課題を解決するための手段】
【００１０】
上述した課題を解決するために、本発明の一実施形態に係る表示装置は、画像出力装置および他の表示装置に接続可能な表示装置であって、前記画像出力装置から、前記表示装置宛ての第１のＲＡＷ画像データと、前記他の表示装置宛ての第２のＲＡＷ画像データとを受信する受信手段と、少なくとも前記第１のＲＡＷ画像データに現像処理を施す処理手段と、前記他の表示装置から、当該他の表示装置の現像処理の処理性能に関する性能情報を取得する取得手段と、前記他の表示装置の現像処理の処理性能と、前記表示装置の現像処理の処理性能とが異なる場合に、所定のメッセージを表示する制御を行う表示制御手段と、を備える。
【００１１】
また、本発明の一実施形態に係る他の表示装置は、画像出力装置および他の表示装置に接続可能な表示装置であって、前記画像出力装置から、前記表示装置宛ての第１のＲＡＷ画像データと、前記他の表示装置宛ての第２のＲＡＷ画像データとを受信する受信手段と、少なくとも前記第１のＲＡＷ画像データに現像処理を施す処理手段と、前記他の表示装置から、当該他の表示装置の現像処理の処理性能に関する性能情報を取得する取得手段と、を備え、前記表示装置の現像処理の処理性能の方が、前記他の表示装置の現像処理の処理性能よりも高い場合に、前記処理手段は、前記第２のＲＡＷ画像データにも現像処理を施すことを特徴とする。
【発明の効果】
【００１２】
本発明によれば、画像出力装置に接続された複数の表示装置の現像処理を好適に制御することが可能になる。
【図面の簡単な説明】
【００１３】
【図１】画像出力装置と２つの表示装置をデイジーチェーン接続したシステム構成の概略図である。
【図２】実施の形態１における画像出力装置と表示装置の内部構成を示すブロック図である。
【図３】図２に示した表示装置のＲＡＷ現像設定の処理について説明するためのフローチャートである。
【図４】下流側の表示装置宛てのＲＡＷ画像データ２にも現像処理を施すか否かをユーザに問い合わせるメッセージを描画したＯＳＤ画像の一例を示す図である。
【図５】実施の形態１における表示装置のＲＡＷ現像処理について説明するためのフローチャートである。
【図６】画像出力装置と３つの表示装置をデイジーチェーン接続したシステム構成の概略図である。
【図７】実施の形態１の変更例における画像出力装置と表示装置の内部構成を示すブロック図である。
【図８】実施の形態１の変更例における表示装置のＲＡＷ現像設定の処理について説明するためのフローチャートである。
【図９】実施の形態２における表示装置のＲＡＷ現像設定の処理について説明するためのフローチャートである。
【図１０】自装置のＲＡＷ現像処理の性能の方が下流の表示装置のＲＡＷ現像処理の性能よりも低い旨を示す警告メッセージを描画したＯＳＤ画像の一例を示す図である。
【図１１】自装置のＲＡＷ現像処理の性能の方が下流の表示装置のＲＡＷ現像処理の性能よりも低い旨を示す警告メッセージを描画したＯＳＤ画像の他の例を示す図である。
【発明を実施するための形態】
【００１４】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１５】
（実施の形態１）
図１は、画像出力装置１００と表示装置２００，３００をデイジーチェーン接続したシステム構成の概略図である。表示装置２００，３００は、それぞれ他の装置と接続可能な入力端子と出力端子とを備える。画像出力装置１００の出力端子と表示装置２００の入力端子とが、ＤｉｓｐｌａｙＰｏｒｔ規格に準拠したケーブル１で接続されている。また、表示装置２００の出力端子と表示装置３００の入力端子とが、ＤｉｓｐｌａｙＰｏｒｔ規格に準拠したケーブル２で接続されている。画像出力装置１００に近い側の表示装置２００を上流側の表示装置、画像出力装置１００から遠い側にある表示装置３００を下流側の表示装置と呼ぶこととする。表示装置２００，３００は、例えば、液晶ディスプレイや有機ＥＬディスプレイなどであるが、スクリーンに画像を投影する液晶プロジェクター等であってもよい。
【００１６】
ＤｉｓｐｌａｙＰｏｒｔでは、画像と音声の信号を、マイクロパケットと呼ばれる分割されたデータで転送される。ＤｉｓｐｌａｙＰｏｒｔのマルチストリーム機能を用いると、マイクロパケットにアドレスを入れて、アドレスを割り当てた表示装置を指定してデータ転送することができる。画像出力装置１００は、表示装置２００と表示装置３００に異なるアドレスを割り当て、１つの出力端子から表示装置２００と表示装置３００に複数の画像データを出力する。画像出力装置１００から出力された表示装置２００宛ての画像データは、ケーブル１を介して、表示装置２００に伝送される。画像出力装置１００から出力された表示装置３００宛ての画像データは、ケーブル１、表示装置２００、およびケーブル２を介して、表示装置３００に伝送される。表示装置２００，３００のそれぞれが、自装置に割り当てられたパケットを復号することで、表示装置２００と表示装置３００で互いに異なる表示画像データＶ１と表示画像データＶ２が表示される。
【００１７】
図２は、実施の形態１における画像出力装置１００と、表示装置２００の内部構成を示すブロック図である。画像出力装置１００は、記憶部１０１と、再生制御部１０２と、送信部１０３とを備える。記憶部１０１は、ＲＡＷ画像データを記憶するハードディスクなどの記録媒体である。画像出力装置１００は、例えば、編集作業者が使用するパーソナルコンピュータなどの編集装置である。画像出力装置１００は、ＲＡＷ画像データを現像処理する機能を有していてもよい。
【００１８】
ユーザが、画像出力装置１００を操作して、表示装置２００に表示画像データＶ１を出力し、表示装置３００に表示画像データＶ２を出力する指示をしたと仮定する。すると、再生制御部１０２は、表示画像データＶ１に対応するＲＡＷ画像データＲＶ１と表示画像データＶ２に対応するＲＡＷ画像データＲＶ２を記憶部１０１から読み出して再生する制御を行う。送信部１０３は、再生制御部１０２により再生された２つのＲＡＷ画像データＲＶ１，ＲＶ２を、ケーブル１を介して表示装置２００に伝送する。送信部１０３は、ＤｉｓｐｌａｙＰｏｒｔのマルチストリーム機能に対応したトランシーバである。送信部１０３は、ＲＡＷ画像データＲＶ１のマイクロパケットに、表示装置２００のアドレスを割り当て、ＲＡＷ画像データＲＶ２のマイクロパケットに、表示装置３００のアドレスを割り当てて、２つのＲＡＷ画像データＲＶ１，ＲＶ２を伝送する。また、送信部１０３は、必要に応じて表示装置２００と制御データのやり取りをする。ＲＡＷ画像データＲＶ１，ＲＶ２は、ＤｉｓｐｌａｙＰｏｒｔのＬａｎｅ１〜４のうちの２つのＬａｎｅを用いて伝送される。制御データは、ＤｉｓｐｌａｙＰｏｒｔのＡｕｘｉｌｉａｒｙ  Ｃｈａｎｎｅｌを用いてやり取りされる。
【００１９】
なお、ＲＡＷ画像データとは、撮像装置で撮像された未加工の画像データであって、現像前の画像データでる。ＲＡＷ画像データが動画像データである場合、各フレームはＲＡＷ静止画像データからなる。ＲＡＷ画像データにＲＡＷ現像処理を施すことで、画面に表示可能な表示画像が生成される。ＲＡＷ現像処理にはホワイトバランス、露出、コントラスト等を調整する処理が含まれる。
【００２０】
表示装置２００は、受信部２０１と、ＲＡＷ現像処理部２０２と、表示部２０３と、ＲＡＷ現像処理部２０４と、送信部２０５と、比較・判断部２０６と、記憶部２０７と、表示制御部２０８とを備える。受信部２０１は、ＤｉｓｐｌａｙＰｏｒｔのマルチストリーム機能に対応したレシーバであり、送信部２０５は、ＤｉｓｐｌａｙＰｏｒｔのマルチストリーム機能に対応したトランシーバである。ＲＡＷ現像処理部２０２，２０４は、ハードウェアで構成されてもよいし、ソフトウェアで構成されてもよい。ＲＡＷ現像処理部２０２，２０４をソフトウェアで構成する場合は、１つの現像処理部が２つのＲＡＷ現像処理を並列処理してもよい。
【００２１】
表示装置３００は、表示装置２００と同様の内部構成であるため、ここでは詳細な説明は繰り返さない。
【００２２】
図３は、表示装置２００のＲＡＷ現像設定の処理について説明するためのフローチャートである。図３の動作は、表示装置２００の起動時、表示装置２００の電源ＯＮ状態で他の装置との物理的な接続または論理的な接続を検知したタイミングなどの、所定のタイミングで実行される。表示装置３００のＲＡＷ現像設定の処理も、図３と同様である。
【００２３】
ステップＳ１０１で、送信部２０５は、下流側に接続されている他の表示装置があるか否かを確認し、下流側に接続されている他の表示装置の現像処理の処理性能に関する性能情報を取得する。具体的には、下流側に接続されている表示装置３００がある場合は、表示装置３００のＲＡＷ現像アルゴリズムのバージョン情報を要求するコマンド（制御データ）を表示装置３００に対して送信する。そして、表示装置３００から、表示装置３００のＲＡＷ現像アルゴリズムのバージョン情報を取得し、取得したバージョン情報を、比較・判断部２０６に送る。
【００２４】
次に、ステップＳ１０２で、比較・判断部２０６は、記憶部２０７から自装置のＲＡＷ現像処理部２０２，２０４の現像処理の処理性能に関する性能情報を取得する。具体的には、比較・判断部２０６は、記憶部２０７からＲＡＷ現像処理部２０２，２０４のＲＡＷ現像アルゴリズムのバージョン情報を取得する。記憶部２０７には、ＲＡＷ現像処理部２０２，２０４のＲＡＷ現像アルゴリズムのバージョン情報が予め格納されているものとする。また、ＲＡＷ現像処理部２０２，２０４のＲＡＷ現像アルゴリズムのバージョン情報は同じであるものとする。
【００２５】
次に、ステップＳ１０３で、比較・判断部２０６は、取得した表示装置３００のＲＡＷ現像アルゴリズムのバージョン情報と、記憶部２０７から読み出したＲＡＷ現像処理部２０２，２０４のＲＡＷ現像アルゴリズムのバージョン情報とを比較する。そして、表示装置３００のＲＡＷ現像アルゴリズムのバージョンと、ＲＡＷ現像処理部２０２，２０４のＲＡＷ現像アルゴリズムのバージョンとが同じである場合はステップＳ１０４に進み、それらが異なる場合はステップＳ１０５に進む。
【００２６】
ステップＳ１０４では、比較・判断部２０６は、自装置宛てのＲＡＷ画像データのみに現像処理を施す設定をする。具体的には、表示装置２００にアドレスが割り当てられたＲＡＷ画像データＲＶ１のみに現像処理を施す設定を、記憶部２０７に格納する。ただし、自装置（表示装置２００）宛てのＲＡＷ画像データＲＶ１および下流側の表示装置３００宛てのＲＡＷ画像データＲＶ２の両方に現像処理を施す設定をするようにしてもよい。
【００２７】
ステップＳ１０５では、比較・判断部２０６は、自装置（表示装置２００）のＲＡＷ現像アルゴリズムのバージョンの方が、下流側の表示装置３００のＲＡＷ現像アルゴリズムのバージョンよりも新しいか否かを判断する。そして、自装置（表示装置２００）のＲＡＷ現像アルゴリズムのバージョンの方が、下流側の表示装置３００のＲＡＷ現像アルゴリズムのバージョンよりも新しい場合は、ステップＳ１０７に進み、そうでない場合は、ステップＳ１０６に進む。
【００２８】
ステップＳ１０６では、比較・判断部２０６は、自装置宛てのＲＡＷ画像データのみに現像処理を施す設定をする。具体的には、表示装置２００にアドレスが割り当てられたＲＡＷ画像データＲＶ１のみに現像処理を施す設定を、記憶部２０７に格納する。
【００２９】
ステップＳ１０７では、表示制御部２０８が、比較・判断部２０６による判断結果を受け、下流側の表示装置３００宛てのＲＡＷ画像データＲＶ２にも現像処理を施すか否かをユーザに問い合わせる。具体的には、下流側の表示装置３００宛てのＲＡＷ画像データＲＶ２にも現像処理を施すか否かをユーザに問い合わせるメッセージを描画したＯＳＤ画像を生成し、表示部２０３に表示させる。ユーザが『ＹＥＳ』と応答した場合はステップＳ１０８に進み、ユーザが『ＮＯ』と応答した場合はステップＳ１０６に進む。
【００３０】
図４は、下流側の表示装置３００宛てのＲＡＷ画像データＲＶ２にも現像処理を施すか否かをユーザに問い合わせるメッセージを描画したＯＳＤ画像の一例を示す図である。例えば、「自装置のＲＡＷ現像アルゴリズムのバージョンの方が、下流側の表示装置のＲＡＷ現像アルゴリズムのバージョンよりも新しいです。下流側の表示装置宛てのＲＡＷ画像データにも現像処理を施しますか？『ＹＥＳ』ｏｒ『ＮＯ』」とのメッセージが表示される。図４に示しているように、表示装置２００に表示されている表示画像データＶ１にＯＳＤ画像を重畳させて表示してもよい。ユーザは、リモコン（不図示）を操作して、『ＹＥＳ』か『ＮＯ』のアイコンを押下することで、問合せに応答することができる。
【００３１】
ステップＳ１０８では、比較・判断部２０６は、自装置宛てのＲＡＷ画像データおよび下流側の表示装置宛てのＲＡＷ画像データに現像処理を施す設定をする。具体的には、表示装置２００にアドレスが割り当てられたＲＡＷ画像データＲＶ１と、下流側の表示装置３００にアドレスが割り当てられたＲＡＷ画像データＲＶ２の両方に現像処理を施す設定を、記憶部２０７に格納する。
【００３２】
図５は、実施の形態１における表示装置２００のＲＡＷ現像処理について説明するためのフローチャートである。図５の処理は、図３のフローの処理が終了した後に実行される。例えば、受信部２０１が画像出力装置１００からマルチストリーム形式の画像データを受信したことを検知したことに応じて実行される。表示装置３００のＲＡＷ現像処理も、図５と同様である。
【００３３】
受信部２０１は、ケーブル１を介して伝送されたＲＡＷ画像データＲＶ１，ＲＶ２を受信し、ＲＡＷ画像データＲＶ１，ＲＶ２のマイクロパケットのアドレスを検知する。そして、表示装置２００のアドレスが割り当てられたＲＡＷ画像データＲＶ１をＲＡＷ現像処理部２０２に出力し、表示装置３００のアドレスが割り当てられたＲＡＷ画像データＲＶ２をＲＡＷ現像処理部２０４に出力する。なお、受信部２０１は、画像出力装置１００から、現像処理済みの表示画像データＶ１，Ｖ２を受信した場合は、現像処理済みの表示画像データＶ１，Ｖ２をＲＡＷ現像処理部２０２，２０４に出力する。ＲＡＷ現像処理部２０２は、現像処理済みの表示画像データＶ１が入力された場合は、ＲＡＷ現像処理を施さずに、スルーで表示部２０３に表示画像データＶ１を出力する。ＲＡＷ現像処理部２０４は、現像処理済みの表示画像データＶ２が入力された場合は、ＲＡＷ現像処理を施さずに、スルーで送信部２０５に表示画像データＶ２を出力する。また、受信部２０１は、必要に応じて、画像出力装置１００と制御データのやり取りをする。
【００３４】
ステップＳ２０１で、ＲＡＷ現像処理部２０２，２０４は、記憶部２０７からＲＡＷ現像設定を取得する。
【００３５】
次に、ステップＳ２０２で、ＲＡＷ現像処理部２０２は、自装置（表示装置２００）宛てに入力された画像データをＲＡＷ現像処理する設定になっているかを確認する。そして、自装置（表示装置２００）宛てに入力された画像データをＲＡＷ現像処理する設定になっている場合、ＲＡＷ現像処理部２０２は、自装置（表示装置２００）宛てに入力された画像データがＲＡＷ形式か否かを判別する。そして、自装置宛てに入力された画像データがＲＡＷ形式であれば、ステップＳ２０４に進み、自装置宛てに入力された画像データがＲＡＷ形式でなく、現像処理済みの表示画像データＶ１であれば、ステップＳ２０３に進む。
【００３６】
ステップＳ２０３では、ＲＡＷ現像処理部２０２は、自装置（表示装置２００）宛てに入力された現像処理済みの表示画像データＶ１にＲＡＷ現像処理を施さずに、スルーで表示部２０３に表示画像データＶ１を出力する。例えば、画像出力装置１００や他の外部装置でＲＡＷ現像処理が施された場合は、このような処理になる。
【００３７】
ステップＳ２０４では、ＲＡＷ現像処理部２０２は、自装置（表示装置２００）宛てに入力されたＲＡＷ画像データＲＶ１にＲＡＷ現像処理を施し、表示部２０３に出力する。表示部２０３は、液晶パネルや有機ＥＬパネルなどの表示パネルであり、ＲＡＷ現像処理部２０２から入力された表示画像データＶ１を画面に表示する。
【００３８】
次に、ステップＳ２０５で、ＲＡＷ現像処理部２０４は、下流側の表示装置３００宛てに入力された画像データをＲＡＷ現像処理する設定になっているかを確認する。そして、下流側の表示装置３００宛てに入力された画像データをＲＡＷ現像処理する設定になっている場合は、ステップＳ２０７に進み、そうでない場合は、ステップＳ２０６に進む。
【００３９】
ステップＳ２０７では、ＲＡＷ現像処理部２０２は、下流側の表示装置３００宛てに入力された画像データがＲＡＷ形式か否かを判別する。そして、下流側の表示装置３００宛てに入力された画像データがＲＡＷ形式であれば、ステップＳ２０８に進む。一方、下流側の表示装置３００宛てに入力された画像データがＲＡＷ形式でなく、現像処理済みの表示画像データＶ２であれば、ステップＳ２０６に進む。
【００４０】
ステップＳ２０６では、ＲＡＷ現像処理部２０４は、下流側の表示装置３００宛てに入力された画像データのＲＡＷ現像処理を施さずに、スルーで送信部２０５に出力する。送信部２０５は、下流側の表示装置３００宛てのＲＡＷ画像データＲＶ２、または画像出力装置１００や他の外部装置でＲＡＷ現像処理が施された表示画像データＶ２を、ケーブル２を介して、下流側の表示装置３００に伝送する。
【００４１】
ステップＳ２０８では、ＲＡＷ現像処理部２０４は、下流側の表示装置３００宛てに入力されたＲＡＷ画像データＲＶ２にＲＡＷ現像処理を施し、送信部２０５に出力する。送信部２０５は、ＲＡＷ現像処理部２０４でＲＡＷ現像処理が施された表示画像データＶ２を、ケーブル２を介して、下流側の表示装置３００に伝送する。
【００４２】
従来は、表示装置２００のＲＡＷ現像処理の処理性能と表示装置３００のＲＡＷ現像処理の処理性能とが異なる場合であっても、表示装置２００，３００のそれぞれがＲＡＷ現像処理を行っていた。しかし、表示装置２００，３００の現像処理の処理性能が異なる場合は、表示装置２００，３００で表示される画像の画質が異なってしまう。このような場合に、ユーザは、なぜ表示装置２００，３００で表示される画像の画質が異なっているのかが分からないため、表示装置２００，３００で表示される画像の画質を合わせたくても、どのようにすれば良いか分からなかった。
【００４３】
しかし、上述した本実施の形態１によれば、画像出力装置にデイジーチェーン接続された複数の表示装置の現像処理の処理性能が異なる場合に、各表示装置で表示される画像の画質をユーザが容易に合わせることが可能になる。具体的には、自装置（表示装置２００）のＲＡＷ現像アルゴリズムのバージョンの方が、下流側の他の表示装置３００のＲＡＷ現像アルゴリズムのバージョンよりも新しい場合は、図４に示したような問合せ画面が表示される。したがって、ユーザは、なぜ表示装置２００，３００で表示される画像の画質が異なっているのかを認識することができる。そして、下流側の表示装置３００宛てのＲＡＷ画像データにも表示装置２００で現像処理を施す設定をすることで、表示装置２００，３００で表示される画像の画質を合わせることができる。
【００４４】
なお、自装置のＲＡＷ現像アルゴリズムのバージョンの方が、下流側の表示装置３００のＲＡＷ現像アルゴリズムのバージョンよりも新しい場合にのみ、図４のような問合せ画面を表示する場合について説明したが、そのような場合に限定されない。具体的には、図３のステップＳ１０５を省略して、自装置のＲＡＷ現像アルゴリズムのバージョンの方が、下流側の表示装置３００のＲＡＷ現像アルゴリズムのバージョンよりも古い場合に、その旨を通知する問合せ画面を表示するようにしてもよい。例えば、「自装置のＲＡＷ現像アルゴリズムのバージョンの方が、下流の表示装置のＲＡＷ現像アルゴリズムのバージョンよりも古いです。下流の表示装置宛てのＲＡＷ画像データにも現像処理を施しますか？『ＹＥＳ』ｏｒ『ＮＯ』」とのメッセージが表示される。ユーザが『ＹＥＳ』と応答すると、下流の表示装置３００宛てのＲＡＷ画像データにも、自装置（表示装置２００）が現像処理を施すことができる。この場合、表示装置３００に表示される表示画像データＶ２の画質は低下するが、表示装置２００，３００に表示される表示画像データＶ１，Ｖ２の画質を合わせることができる。
【００４５】
また、表示装置２００から下流側の表示装置３００に、表示装置３００のＲＡＷ現像アルゴリズムのバージョン情報を要求するコマンドを送信しても、表示装置３００がそのコマンドに対応していないケースも考えられる。表示装置３００がコマンドに対する応答を返してこない場合は、比較・判断部２０６は、下流側の表示装置３００のＲＡＷ現像アルゴリズムのバージョンの方が、自装置のＲＡＷ現像アルゴリズムのバージョンよりも古いと判断してもよい。
【００４６】
また、下流側の表示装置３００がＲＡＷ現像処理の機能を有していない場合、表示装置３００から表示装置２００にその旨を通知してもよい。その場合、上流側の表示装置２００が、下流側の表示装置３００宛てのＲＡＷ画像データにも現像処理を施す設定をする。このようにすることで、下流側の表示装置３００がＲＡＷ現像処理の機能を有していなくても、表示装置３００がＲＡＷ現像処理された表示画像データを表示することができる。
【００４７】
また、本実施の形態１では、画像出力装置と２つの表示装置がデイジーチェーン接続された例について説明したが、画像出力装置と３つ以上の表示装置がデイジーチェーン接続された場合にも適用可能である。
【００４８】
図６は、画像出力装置１００と表示装置２００，３００，４００をデイジーチェーン接続したシステム構成の概略図である。画像出力装置１００の出力端子と表示装置２００の入力端子とが、ＤｉｓｐｌａｙＰｏｒｔ規格に準拠したケーブル１で接続されている。また、表示装置２００の出力端子と表示装置３００の入力端子とが、ＤｉｓｐｌａｙＰｏｒｔ規格に準拠したケーブル２で接続されている。さらに、表示装置３００の出力端子と表示装置４００の入力端子とが、ＤｉｓｐｌａｙＰｏｒｔ規格に準拠したケーブル３で接続されている。表示装置２００，３００，４００は、同様の内部構成を有しているものとする。
【００４９】
画像出力装置１００は、表示装置２００，３００，４００に互いに異なるアドレスを割り当て、１つの出力端子から表示装置２００，３００，４００に３つの画像データを出力する。画像出力装置１００から出力された表示装置２００宛ての画像データは、ケーブル１を介して、表示装置２００に伝送される。画像出力装置１００から出力された表示装置３００宛ての画像データは、ケーブル１、表示装置２００、およびケーブル３を介して、表示装置３００に伝送される。画像出力装置１００から出力された表示装置４００宛ての画像データは、ケーブル１、表示装置２００、ケーブル２、表示装置３００、およびケーブル３を介して、表示装置４００に伝送される。表示装置２００，３００，４００のそれぞれが、自装置に割り当てられたパケットを復号することで、表示装置２００，３００，４００で互いに異なる表示画像データＶ１，Ｖ２，Ｖ３が表示される。
【００５０】
表示装置２００が表示装置３００のＲＡＷ現像アルゴリズムのバージョン情報を要求するコマンドを送信した場合に、表示装置３００がまだ表示装置４００のＲＡＷ現像アルゴリズムのバージョン情報を取得していない場合が考えられる。そのような場合は、表示装置３００がＲＡＷ現像アルゴリズムのバージョン情報を取得した後で、表示装置３００，４００のそれぞれのＲＡＷ現像アルゴリズムのバージョン情報を表示装置２００に通知する。このようにすることで、最も上流側の表示装置２００は、３つの表示装置２００，３００，４００のＲＡＷ現像アルゴリズムのバージョン情報を比較することができる。
【００５１】
例えば、最も上流側の表示装置２００のＲＡＷ現像アルゴリズムのバージョンが最も新しい場合は、表示装置２００が、自装置宛ておよび下流側の表示装置３００，４００宛てのＲＡＷ画像データＲＶ１，ＲＶ２，ＲＶ３に現像処理を施すようにすればよい。また、表示装置３００のＲＡＷ現像アルゴリズムのバージョンが最も新しい場合は、以下のようにすればよい。即ち、表示装置２００が、自装置宛てのＲＡＷ画像データＲＶ１のみに現像処理を施し、表示装置３００が、自装置宛ておよび下流側の表示装置４００宛てのＲＡＷ画像データＲＶ２，ＲＶ３に現像処理を施すようにすればよい。
【００５２】
（実施の形態１の変更例）
実施の形態１の変更例において、実施の形態１と同一の構成要素および処理ステップについては同一の符号を付し、実施の形態１との相違点についてのみ説明する。
【００５３】
図７は、実施の形態１の変更例における画像出力装置１００と、表示装置５００の内部構成を示すブロック図である。図２と図７とを比較して異なる点は、図２の表示装置２００の表示制御部２０８が、図７の表示装置５００にはない点である。
【００５４】
また、図８は、実施の形態１の変更例における表示装置５００のＲＡＷ現像設定の処理について説明するためのフローチャートである。図３と図８とを比較して異なる点は、図３のステップＳ１０７が、図８にはない点である。
【００５５】
なお、表示装置５００の下流側には、表示装置５００と同様の内部構成を有する他の表示装置６００が接続されるものとする。
【００５６】
この実施の形態１の変更例では、自装置（表示装置５００）のＲＡＷ現像アルゴリズムのバージョンの方が、下流側の表示装置６００のＲＡＷ現像アルゴリズムのバージョンよりも新しい場合は、図４の問合せ画面を表示せずに、ステップＳ１０８に進む。そして、ステップＳ１０８で、比較・判断部２０６は、自装置宛てのＲＡＷ画像データおよび下流側の表示装置宛てのＲＡＷ画像データに現像処理を施す設定をする。
【００５７】
このようにすることで、画像出力装置にデイジーチェーン接続された複数の表示装置の現像処理の処理性能が異なる場合に、ユーザが煩わしい操作をすることなく自動的に、各表示装置で表示される画像の画質を合わせることが可能になる。
【００５８】
（実施の形態２）
実施の形態２において、実施の形態１と同一の構成要素および処理ステップについては同一の符号を付し、実施の形態１との相違点についてのみ説明する。
【００５９】
図９は、実施の形態２における表示装置２００のＲＡＷ現像設定の処理について説明するためのフローチャートである。図３と図９とを比較して異なる点は、図９にステップＳ３０１が追加されている点である。
【００６０】
ステップＳ１０５で、比較・判断部２０６が、自装置（表示装置２００）のＲＡＷ現像アルゴリズムのバージョンの方が、下流側の表示装置３００のＲＡＷ現像アルゴリズムのバージョンよりも古いと判断した場合に、ステップＳ３０１に進む。ステップＳ３０１で、表示制御部２０８は、自装置（表示装置２００）のＲＡＷ現像処理の性能の方が下流の表示装置３００のＲＡＷ現像処理の性能よりも低い旨を示す警告メッセージを描画したＯＳＤ画像を生成し、表示部２０３に表示させる。
【００６１】
図１０は、自装置（表示装置２００）のＲＡＷ現像処理の性能の方が下流の表示装置３００のＲＡＷ現像処理の性能よりも低い旨を示す警告メッセージを描画したＯＳＤ画像の一例を示す図である。例えば、「自装置のＲＡＷ現像アルゴリズムのバージョンの方が、下流側の表示装置のＲＡＷ現像アルゴリズムのバージョンよりも古いです。表示画像の色が異なって見える可能性があります。」との警告メッセージが表示される。図１０に示しているように、表示装置２００に表示されている表示画像データＶ１にＯＳＤ画像を重畳させて表示してもよい。
【００６２】
図１１は、自装置（表示装置２００）のＲＡＷ現像処理の性能の方が下流の表示装置３００のＲＡＷ現像処理の性能よりも低い旨を示す警告メッセージを描画したＯＳＤ画像の他の例を示す図である。例えば、「自装置のＲＡＷ現像アルゴリズムのバージョンの方が、下流側の表示装置のＲＡＷ現像アルゴリズムのバージョンよりも古いです。表示装置の接続順を入れ替えることで、最新のＲＡＷ現像アルゴリズムで現像処理した画像を表示することができます。」との警告メッセージが表示される。
【００６３】
以上のように、本実施の形態２では、ユーザは、自装置（表示装置２００）のＲＡＷ現像処理の性能と、下流の表示装置３００のＲＡＷ現像処理の性能とが異なっていることを認識することができる。また、ユーザは、なぜ表示装置２００，３００で表示される画像の画質が異なっているのかを認識することができる。さらに、表示装置の接続順を入れ替えることで、最新のＲＡＷ現像アルゴリズムで現像処理した画像を表示できることを認識することができる。表示装置の接続順を入れ替えると、上流側の表示装置のＲＡＷ現像処理の性能を活用して、表示装置２００，３００で表示される画像の画質を合わせることができる。
【００６４】
（その他の実施の形態）
本発明は、上述の実施形態の１以上の機能を実現するプログラムを、ネットワーク又は記憶媒体を介してシステム又は装置に供給し、そのシステム又は装置のコンピュータ（またはＣＰＵやＭＰＵ等）における１つ以上のプロセッサーがプログラムを読出し実行する処理でも実現可能である。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【００６５】
１００  画像出力装置
２００，３００，４００，５００，６００  表示装置
２０１  受信部
２０２，２０４  ＲＡＷ現像処理部
２０３  表示部
２０５  送信部
２０６  比較・判断部
２０７  記憶部
２０８  表示制御部
【図１】
2017038176.tif 000003
【図２】
2017038176.tif 000004
【図３】
2017038176.tif 000005
【図４】
2017038176.tif 000006
【図５】
2017038176.tif 000007
【図６】
2017038176.tif 000008
【図７】
2017038176.tif 000009
【図８】
2017038176.tif 000010
【図９】
2017038176.tif 000011
【図１０】
2017038176.tif 000012
【図１１】
2017038176.tif 000013